(57)【特許請求の範囲】
【請求項１】
光伝送路を介してＣＡＴＶセンタと接続するノードが複数の双方向の中継器が木状に上り及び下りの幹線を介して接続してなるＣＡＴＶ伝送システムに使用される前記中継器であって、
前記ＣＡＴＶセンタに対する幹線系の上り信号が入力され下り信号が出力される第１の入出力端子と、
前記ＣＡＴＶセンタに対する前記幹線系の下り信号が入力され上り信号が出力される第２の入出力端子と、
下位および上位にそれぞれ配置されると共に、分岐系信号線を介して分岐系の上り信号及び下り信号の入出力を行う複数の分岐端子と、
前記第１の入出力端子，前記第２の入出力端子，および前記複数の分岐端子にそれぞれ接続され、且つ前記幹線系からの上りの幹線系信号に、前記複数の分岐端子を介してそれぞれ入力される上りの分岐系雑音が流合することによる流合雑音を、予め設定されたしきい値と比較することによって検出し、前記流合雑音が前記しきい値を超えることを検出した場合に、前記しきい値を超える前記分岐端子からの雑音混入を阻止すべく前記分岐系信号線における下位の前記分岐端子と上位の前記分岐端子との線路の開閉を順次制御すると共に、
前記複数の下位の分岐端子から入力される総ての前記上りの分岐系雑音の混入を阻止しても検出した雑音が前記しきい値を超える場合には前記第１の入出力端子からの上りの幹線による信号の前記第２の入出力端子への送出を阻止すべく前記上りの幹線における前記第１の入出力端子と前記第２の入出力端子との線路の開閉を制御する流合雑音混入阻止制御手段と、
を備えることを特徴とする中継器。
【請求項２】
光伝送器を介してＣＡＴＶセンタと接続するノードから複数の双方向の中継器が木状に上り及び下り幹線を介して接続してなるＣＡＴＶ伝送システムに使用される前記中継器であって、前記ＣＡＴＶセンタに対する幹線系の上り信号が入力され下り信号が出力される第１の入出力端子と、この入出力端子に接続し前記上り信号及び下り信号の方向を分離する第１の方向性ろ波器と、前記ＣＡＴＶセンタに対する前記幹線系の下り信号が入力され上り信号が出力される第２の入出力端子と、この第２の入出力端子に接続し前記下り信号及び上り信号の方向を分離する第２の方向性ろ波器と、前記第１の方向性ろ波器と前記第２の方向性ろ波器間の上り幹線に直列に接続する前記上り幹線の上り信号及び分岐系の上り信号を増幅する上り幹線増幅部と、この上り幹線増幅部の出力信号から上り信号全体に対する前記複数の分岐端子からの流合雑音の混入を検出する検出部と、この検出部の流合雑音の検出の結果に基づく開閉制御されて前記上り幹線及び分岐系の上り信号を前記第２の方向性ろ波器へ出力する第１のスイッチ部と、前記分岐系の上り信号及び下り信号の入出力の端子となる複数の分岐端子と、この複数の分岐端子のそれぞれに接続して前記分岐系の上り信号及び下り信号に分離させる複数の第３の方向性ろ波器と、この複数の第３の方向性ろ波器のそれぞれの前記分岐系の上り信号の進行を前記検出部の制御によって開閉が制御される複数の第２のスイッチ部と、この複数の第２のスィッチ部からの前記分岐系の上り信号を集合させて前記上り幹線増幅系へ入力させる上り用4スプリット部と、前記下り幹線のアラーム情報及び前記検出部からのアラーム情報を前記上り幹線側に出力して前記ＣＡＴＶのセンタヘ送出しまた前記ＣＡＴＶセンタからの前記検出部への制御信号を前記下り幹線から入力して前記検出部へ出力する中継器監視制御部とを有することを特徴とする中継器。
【請求項３】
前記検出部は、前記上り信号全体に対する前記複数の分岐端子からの流合雑音の混入の電力を測定する電力測定部と、前記流合雑音の混入の有無を予め定められたしきい値との比較によって検出するために使用する前記しきい値を記憶するしきい値メモリとを有することを特徴とする請求項２記載の中継器。
【請求項４】
前記検出部は前記複数の第２のスイッチ部を閉状態から予め定められた順に従って開制御した場合の入力の電力の変化を前記電力測定部によって測定し、その測定した電力が前記しきい値以下になった時点で前記開制御を中止し、前記開制御をした第２のスイッチ部以外の第２のスイッチ部を閉状態に保持すべく制御するスイッチ制御手段を有することを特徴とする請求項３記載の中継器。
【請求項５】
前記検出部は前記複数の第２のスイッチ部の全体を閉状態から予め定められた順に従って開制御した場合の入力の電力の変化を前記電力測定.部によって測定し、その測定した電力を記憶し、前記複数の第２のスイッチ部の全体について前記開制御部の終了の後に前記しきい値との差が大きい第２スイッチ部のみを開状態にし他の第２のスイッチ部に開状態にすべく制御するスイッチ制御手段を有することを特徴とする請求項３記載の中継器。
【請求項６】
前記検出部のより幹線への出力側に直列に前記第１のスイッチ部を有し、前記スイッチ制御手段によって前記複数の第２のスイッチ部全体を開制御にした場合でも前記検出部への流合雑音が前記しきい値以下にならないことを前記検出部が検出すると、前記スイッチ制御手段は前記第１のスイッチ部を開制御することを特徴とする請求項２，４及び５記載の中継器。
【請求項７】
前記複数の第２のスイッチ部及び前記第１のスイッチ部は、前記ＣＡＴＶセンタからの下り幹線を介しての前記中継器監視制御部を経由した制御信号を前記検出部が検出して受信し、自己への制御信号であることを認識すると前記制御信号に基づいて前記スイッチ制御手段によって制御されることを特徴とする請求項２，４，５及び６記載の中継器。
【請求項８】
前記しきい値メモリは、前記ＣＡＴＶセンタからの前記下り幹線を介しての前記中継器監視制御部を経由したしきい値データを前記検出部が検出して受信し、自己へのしきい値データであることを認識すると、前記しきい値データが前記しきい値メモリに記憶されることを特徴とする請求項３記載の中継器。
【発明の詳細な説明】
【０００１】
【発明の属する技術分野】
本発明は中継器に関し、特に双方向ＣＡＴＶ伝送路における上り分岐回線からの雑音を遮断させる中継器に関する。
【０００２】
【従来の技術】
この種の従来例について図面を参照して説明する。
【０００３】
図３は従来の双方向ＣＡＴＶ中継器の一例を示すブロック図である。
【０００４】
図３において、この従来例の双方向ＣＡＴＶ中継器は、特許第２８９１７５４号の開示内容を示し、増幅器１０３，１０６がセンターから各端末への下り方向信号（７０ＭＨｚ〜４５０ＭＨｚ帯域）および各端末装置などからの上り方向信号（１０ＭＨｚ〜５０ＭＨｚ帯域）を増幅する。また、方向性ろ波器１０８が幹線より各上り、下り信号を分岐する。一方、４分配器１０９の、使用されない分配端子には、通常、終端を施す（一般的に７５Ω）。
【０００５】
このように終端された分配端子において、分配端子１１１で使用しない分配端子に終端を施すことにより金属間の接触状態の不完全が生じ伝送信号による相互変調歪が発生する時がある。このようなとき、この一定周波数間隔で発生する歪（例えば、６ＭＨｚ間隔）を検知する歪周波数検知部１１２において検知する。そして、検知した場合、スイッチ回路制御部１１３は、分配系と幹線系とを切り分けるため、スイッチ回路部１０７を制御し開閉する。
【０００６】
また、従来の他の中継器においては、上り流合雑音による妨害が発生した場合、雑音による実害が出た時点（サービスが停止する等）で施設管理者が障害に気付き、ＣＡＴＶセンタからブリッジャ・ゲートスイッチ等の遠隔制御により当該中継器の切り分け作業を行っていた。
【０００７】
【発明が解決しようとする課題】
この従来例の双方向ＣＡＴＶ中継器においては、分配系の上り方向の信号を歪周波数検知部によって相互変調歪の有無を検知し、歪を検知するとスイッチ回路部で幹線等への入力を閉じる構成になっているので、歪を検知した場合に分配系の総ての端子からの上り方向の信号をスイッチ回路部で総て遮断してしまうという問題点がある。
【０００８】
また、従来の他の中継器においては、上り流合雑音による妨害が発生した場合、ＣＡＴＶセンタからブリッジャ・ゲートスイッチ等の遠隔制御により該当中継器の切り分け作業を行うため、復旧に時間が掛かるだけでなく、そのための人員が必要であるという問題点がある。
【０００９】
（発明の目的）
本発明の目的は、雑音発生が多い分岐系の入力端子のみの入力を遮断して、雑音発生源と直接関係のない伝送路への影響を無くすることのできる、中継器を提供することにある。
【００１０】
【課題を解決するための手段】
本発明の中継器は、光伝送路を介してＣＡＴＶセンタと接続するノードが複数の双方向の中継器が木状に上り及び下りの幹線を介して接続してなるＣＡＴＶ伝送システムに使用される前記中継器であって、
前記ＣＡＴＶセンタに対する幹線系の上り信号が入力され下り信号が出力される第１の入出力端子と、
前記ＣＡＴＶセンタに対する前記幹線系の下り信号が入力され上り信号が出力される第２の入出力端子と、
下位および上位にそれぞれ配置されると共に、分岐系信号線を介して分岐系の上り信号及び下り信号の入出力を行う複数の分岐端子と、
前記第１の入出力端子，前記第２の入出力端子，および前記複数の分岐端子にそれぞれ接続され、且つ前記幹線系からの上りの幹線系信号に、前記複数の分岐端子を介してそれぞれ入力される上りの分岐系雑音が流合することによる流合雑音を、予め設定されたしきい値と比較することによって検出し、前記流合雑音が前記しきい値を超えることを検出した場合に、前記しきい値を超える前記分岐端子からの雑音混入を阻止すべく前記分岐系信号線における下位の前記分岐端子と上位の前記分岐端子との線路の開閉を順次制御すると共に、
前記複数の下位の分岐端子から入力される総ての前記上りの分岐系雑音の混入を阻止しても検出した雑音が前記しきい値を超える場合には前記第１の入出力端子からの上りの幹線による信号の前記第２の入出力端子への送出を阻止すべく前記上りの幹線における前記第１の入出力端子と前記第２の入出力端子との線路の開閉を制御する流合雑音混入阻止制御手段と、
を備える
【００１１】
本発明の中継器は、光伝送器を介してＣＡＴＶセンタと接続するノードから複数の双方向の中継器が木状に上り及び下り幹線を介して接続してなるＣＡＴＶ伝送システムに使用される前記中継器であって、前記ＣＡＴＶセンタに対する幹線系の上り信号が入力され下り信号が出力される第１の入出力端子と、この入出力端子に接続し前記上り信号及び下り信号の方向を分離する第１の方向性ろ波器と、前記ＣＡＴＶセンタに対する前記幹線系の下り信号が入力され上り信号が出力される第２の入出力端子と、この第２の入出力端子に接続し前記下り信号及び上り信号の方向を分離する第２の方向性ろ波器と、前記第１の方向性ろ波器と前記第２の方向性ろ波器間の上り幹線に直列に接続する前記上り幹線の上り信号及び分岐系の上り信号を増幅する上り幹線増幅部と、この上り幹線増幅部の出力信号から上り信号全体に対する前記複数の分岐端子からの流合雑音の混入を検出する検出部と、この検出部の流合雑音の検出の結果に基づく開閉制御されて前記上り幹線及び分岐系の上り信号を前記第２の方向性ろ波器へ出力する第１のスイッチ部と、前記分岐系の上り信号及び下り信号の入出力の端子となる複数の分岐端子と、この複数の分岐端子のそれぞれに接続して前記分岐系の上り信号及び下り信号に分離させる複数の第３の方向性ろ波器と、この複数の第３の方向性ろ波器のそれぞれの前記分岐系の上り信号の進行を前記検出部の制御によって開閉が制御される複数の第２のスイッチ部と、この複数の第２のスィッチ部からの前記分岐系の上り信号を集合させて前記上り幹線増幅系へ入力させる上り用4スプリット部と、前記下り幹線のアラーム情報及び前記検出部からのアラーム情報を前記上り幹線側に出力して前記ＣＡＴＶのセンタヘ送出しまた前記ＣＡＴＶセンタからの前記検出部への制御信号を前記下り幹線から入力して前記検出部へ出力する中継器監視制御部とを有する。
【００１２】
【発明の実施の形態】
次に本発明について図面を参照して説明する。
【００１３】
図１は本発明の一実施の形態における中継器を示すブロック図、図２は本実施の形態における中継器内の検出部を示すブロック図である。
【００１４】
図１において、本実施の形態の中継器２０は、光伝送路を介してＣＡＴＶセンタ（図面省略）に接続するノードから複数の中継器が上り及び下りの幹線（同軸線）を介して接続してなるＣＡＴＶ伝送システム内で使用され、
ＣＡＴＶセンタに対する幹線系の上り信号が入力され下り信号が出力される入出力端子１５と、入出力端子１５に接続し上り信号および下り信号の方向を分離する方向性ろ波器（ＤＦ）８1 と、ＣＡＴＶセンタからの下り信号が入力され上り信号が出力される入出力端子１４と、入出力端子１４に接続し下り信号および上り信号の方向を分離する方向性ろ波器（ＤＦ）８2 と、ＤＦ８2 とＤＦ８1 間の下り幹線２１に直列に接続して下り信号を増幅する下り幹線増幅部２３と、ＤＦ８1 とＤＦ８2 の間の上り幹線２２に直列に接続する上り幹線２２の上り信号および分岐系の上り信号を増幅する上り幹線増幅部７と、この上り幹線増幅部７の出力信号から上り信号全体に対する分岐端子１０〜１３からの流合雑音の混入を検出する検出部６と、検出部６の流合雑音の検出の結果に基づいて開閉制御されて上り幹線２２及び全分岐系の上り信号をＤＦ８2 へ出力するスイッチ部５と、分岐系の上り信号及び下り信号の入出力の端子となる分岐端子１０〜１３と、この分岐端子１０〜１３のそれぞれに接続して分岐系の上り信号及び下り信号に分離されるＤＦ８3 〜ＤＦ８6 と、ＤＦ８3 〜ＤＦ８6 のそれぞれの分岐系の上り信号の進行を検出部６の制御によって開閉が制御されるスイッチ部１〜スイッチ部４と、スイッチ部１〜スイッチ部４からの分岐系の上り信号を集合させて上り幹線増幅部７へ入力させる上り用４スプリット部（上り用４ＳＰ）９と、下り幹線２１からの下り信号を分岐のために増幅する下り分岐増幅部２４と、下り分岐増幅部２４からの下り信号をＤＦ８3 〜ＤＦ８6 へ分岐するための下り用４スプリット部（下り用４ＳＰ）２５と、下り幹線２１のアラーム情報及び検出部６からのアラーム情報を上り幹線側に出力してＣＡＴＶセンタへ送出しまた、ＣＡＴＶセンタからの検出部６への制御信号を下り幹線２１から入力して検出部６へ出力する中継器監視制御部（ＳＭＴ）１６とを有している。
【００１５】
図２において、本実施の形態における中継器２０の検出部６は、上り幹線増幅部７にインタフェースしてインピータレス整合する入力上り幹線インタフェース部６１と、入力上り幹線インタフェース部６１に介して入力された上り信号全体の電力を測定し測定結果をＣＰＵ６８へ通知するパワーメータ６２と、上り信号全体内に分岐系からの流合雑音の混入を判定するための予め定められた電力しきい値を記憶しているしきい値メモリ部６３と、流合雑音の混入の判定の基にスイッチ部１〜５を制御するスイッチ制御部６５と、スイッチ部５にインタフェースしてインピーダレス整合すると共に判定結果の上り信号をスイッチ部５へ送出する出力上り幹線インタフェース部６６と、ＳＭＴ１６にインタフェースしＳＭＴ１６を介してのＣＡＴＶセンタからの各種制御信号及び流合雑音の混入の判定結果によるアラーム情報をＳＭＴ１６へ送出するＳＭＴインタフェース部６７と、スイッチ部１〜４の開閉順序やスイッチ部１〜４の開閉によって流合雑音の混入の判定を行うための電力しきい値と判定した電力との差のデータを一時記憶し、また検出部６全体の制御プログラム及び自己の機器番号を格納している主メモリ６４と、主メモリ６４が格納している制御プログラムの基に検出部６全体を制御し、上り信号全体からの流合雑音の混入を判定し、流合雑音を上位の中継器に対し上り幹線に混入しないように制御し、混入している場合にはＳＭＴ１６へ通知するＣＰＵ６８とを有している。
【００１６】
次に、本実施の形態における検出部の動作とその第１、第２の流合雑音遮断方法について図１、図２を参照して説明する。
【００１７】
先ず、検出部６の動作とその第１の流合雑音遮断方法について以下に説明する。
【００１８】
ＣＡＴＶ伝送システム内の全中継器２０においては、ＣＡＴＶ伝送システムとして移動する前に、ＣＡＴＶセンタからＣＡＴＶ伝送システムの全中継器２０に共通の「共通機器番号」と共に書く中継器２０内検出部６のしきい値メモリ６３に記憶させて流合雑音混入を検出するための予め定められた「電力しきい値」及び「設定コマンド」等が、端子１４、ＤＦ８2 下り幹線増幅部２３及びＳＭＴ１６を経由して検出部６に入力される。検出部６のＣＰＵ６８はＳＭＴインタフェース部６７を介して入力されたＣＡＴＶセンタからの情報を主メモリ６７を参照して解析し、全中継器２０に対する「電力しきい値の設定」だと判断するとしきい値メモリ６３に「電力しきい値」を記憶させる。
【００１９】
次に、ＣＡＴＶ伝送システムの稼働中において、通常、スイッチ部１〜５は閉じた状態になっているため、分岐端子１０〜１３のそれぞれに混入した雑音は、ＤＦ８3 〜８6 にて下り信号成分と分離し、分岐系の雑音はスイッチ部１、スイッチ部２、スイッチ部３、スイッチ部４を経由して、さらに上り用４ＳＰ９を経由し、入出力端子１５からの幹線系の上りの雑音と結合される。幹線系と分岐系との上り流合雑音は、上り幹線増幅部７により増幅され、検出部６に入力される。
【００２０】
検出部６は入力上り幹線インタフェース部６１を介して入力された上り信号の電力をパワーメータ６２で測定してＣＰＵ６８に通知され、ＣＰＵ６８はしきい値メモリ６３に記憶されている予め定められた電力のしきい値と比較して流合雑音混入の有無を検出する。
【００２１】
ＣＰＵ６８は流合雑音混入を検出した場合、スイッチ部１〜スイッチ部４に対してスイッチ制御部６５によって開制御を順に実行し、各スイッチ１〜４を開閉したときの電力の変化をパワーメータ６２で測定し、電力がしきい値以下になった時点で開制御されている分岐端子のスイッチ部は、開状態を保持し、それ以外の分岐端子のスイッチ部は閉状態を保持する。
【００２２】
また、複数のスイッチ部を同時に順に開制御することも可能とすることにより、複数の分岐端子から同時に上り流合雑音が混入しても、ＣＡＴＶセンタ方向への混入を阻止することもできる。
【００２３】
尚、スイッチ部１〜４を全て開制御してもパワーメータ６２で測定される電力が電力しきい値以下とならない場合は、幹線系からの雑音混入または機器内部でのトラブルであると想定されるため、ＣＰＵ６８はスイッチ制御部６５によってスイッチ部５のスイッチを開とする。
【００２４】
先ず、検出部６の動作とその第２の流合雑音遮断方法について以下に説明する。
【００２５】
この第２の流合雑音遮断方法においては、上記で説明した第１の流合雑音遮断方法における「電力しきい値」の設定方法、及び各分岐端子１０〜１３からの分岐系の雑音が入出力端子１５からの幹線系の雑音と流合されて上り幹線増幅部７で増幅された後に検出部６へ入力までの動作は同じなので省略する。
【００２６】
検出部６は入力上り幹線インタフェース部６１を介して入力された上り信号の電力をパワーメータ６２で測定してＣＰＵ６８に通知され、ＣＰＵ６８はしきい値メモリ６３に記憶されている予め定められた電力のしきい値と比較して流合雑音混入の有無を検出する。
【００２７】
ＣＰＵ６８は流合雑音を検出した場合、スイッチ部１〜スイッチ部４に対してスイッチ制御部６５によって開閉制御を順に実行し、各スイッチ部１〜４の開したときの電力をパワーメータ６２が測定し、測定電力としきい値との差の値をＣＰＵ６８に通知する。
【００２８】
ＣＰＵ６８はパワーメータ６２からの差の値を測定したスイッチ部と対応付けて一旦主メモリ６４に記憶し、次にスイッチ部１〜スイッチ部４に対する開閉制御が終ると、主メモリ６４を参照して、測定電力としきい値との差の値が一番大きいスイッチ部をスイッチ制御部６５を介して開状態に実行し、そのスイッチ部は開状態に保持する。
【００２９】
他に、しきい値との差の値の一番大きいスイッチ部が複数ある場合にはその複数のスイッチ部を開状態に実行し、残りのスイッチ部は閉状態に保持する。
【００３０】
尚、第２の流合雑音遮断方法においても、第１の流合雑音遮断方法の場合と、同様に、スイッチ部１〜４を全て開制御してもパワーメータ６２で測定される電力がしきい値以下とならない場合は、幹線系からの雑音混入または機器内部でのトラブルであると想定されるため、ＣＰＵ６８はスイッチ制御部６によってスイッチ部５のスイッチを開とする。
【００３１】
次に、中継器２０とＣＡＴＶセンタとのアラーム情報及び制御情報の送受信動作について以下に説明する。
【００３２】
中継器２０において、検出部６が上記で説明した第１又は第２の流合雑音遮断方法によって流合雑音を検出した場合、ＣＰＵ６８は主メモリ６４を参照して自己の機器番号及び、開状態にしたスイッチ部の番号と共に流合雑音混入したことを示すアラーム情報をＳＭＴインタフェース部６７を介してＳＭＴ１６へ送出する。
【００３３】
ＳＭＴ１６は上り幹線２２を介してＤＦ８2 を経由し入出力する端子１４から検出部６からのアラーム情報をＣＡＴＶセンタへ送出する。
【００３４】
尚、ＳＭＴ１６は下り幹線系のアラーム情報についても同様方法でＣＡＴＶセンタへ送出することができる。
【００３５】
中継器２０の流合雑音混入等の障害が復旧し、ＣＡＴＶセンタから中継器２０の目的のスイッチ部の開閉を遠隔制御する場合、ＣＡＴＶセンタは中継器の機器番号と制御する目的のスイッチ部の番号と共に開制御、又は閉制御のコマンドを含んだ制御情報を送出する。
【００３６】
中継器２０は入出力端子１４、ＤＦ８2 及び下り幹線増幅部２３を経由したＣＡＴＶセンタからの制御情報をＳＭＴ１６が受信して検出部６へ送出し、下り分岐増幅部２４に対しては制御情報の出力を禁止する。検出部６のＣＰＵ６８はＳＭＴインタフェース部６７を介して制御情報を受信すると、主メモリ６４を参照して自己の機器のスイッチ部への制御であることを認識すると、制御情報の中のコマンドに従って目的のスイッチ部を開閉すべくスイッチ制御部６５へ通知する。
【００３７】
以上に示した本実施の形態における中継器２０は、検出部６が上り流合雑音成分を検出した時点でＳＭＴ１６にアラーム情報を出力して、ＣＡＴＶセンタに設置される監視制御装置により、中継器２０で流合雑音を検出したことを確認することができ、また、ＣＡＴＶセンタの監視制御装置からスイッチ部１〜スイッチ部５を遠隔制御することも可能である。
【００３８】
また本実施の形態の中継器２０は、ＣＡＴＶ伝送システムを利用した通信サービスにおいて、上り流合雑音発生時にサービス停止がサービスエリア全域に及ぶことを防止するとともに、サービス停止から復旧までの一連の作業を簡素化することに着目したもので、ＣＡＴＶ伝送システムを構成する中継器２０に上り流合雑音成分を検出する検出部６と幹線及び分岐系の上り信号を阻止するスイッチ部１〜５を搭載し、雑音成分を検出すると同時にスイッチ部１〜５を搭載し、雑音成分を検出すると同時にスイッチ部１〜５の開閉を行い、上り流合雑音が発生した箇所のみＣＡＴＶ伝送路網から切り離すことで、通信サービスの停止範囲を小規模に限定するとともに、上り流合雑音発生箇所の特定作業を速やかに行えるようにすることができる。
【００３９】
【発明の効果】
以上説明したように本発明は、以下に示す結果が得られる。
【００４０】
第１の効果は、上り流合雑音が発生した場合、作業員がブリッジャ、ゲートスイッチを利用した切り分けによる仮復旧を行う等の必要が無く、自動的に障害箇所直近の中継器のみが上り雑音をカットするため、夜間等、人員が不在の時でも仮復旧が可能であり、これにより、施設管理者の工数を削減することができる。
【００４１】
第２の効果は、突然の流合雑音増加に対しても数秒で仮復旧することが可能なため、作業員が切り分けを行う場合に比較し、極めて短時間であり、これにより、利用者へのサービスが向上させることができる。
【図面の簡単な説明】
【図１】本発明の一実施の形態における中継器を示すブロック図である。
【図２】本実施の形態における中継器内の検出部を示すブロック図である。
【図３】従来の双方向ＣＡＴＶ中継器の一例を示すブロック図である。
【符号の説明】
１〜５    スイッチ部
６    検出部
７    上り幹線増幅部
８1 〜８6     方向性ろ波器（ＤＦ）
９    上り用４スプリット部（上り用４ＳＰ）
１０〜１３    分岐端子
１４，１５    入出力端子
１６    中継器監視制御部（ＳＭＴ）
２０    中継器
２１    下り幹線
２２    上り幹線
２３    下り幹線増幅部
２４    下り分岐増幅部
２５    下り用４スプリット部（下り用４ＳＰ）
６１    入力上り幹線インタフェース部
６２    パワーメータ
６３    しきい値メモリ
６４    主メモリ
６５    スイッチ制御部
６６    出力上り幹線インタフェース部
６７    ＳＭＴインタフェース部
６８    ＣＰＵ
【図１】
0003698962.tif 000002
【図２】
0003698962.tif 000003
【図３】
0003698962.tif 000004